【事件の表示】
　平成　７年特許願第　４９４９６号「ディスクプレーヤ及びその再生方法」拒絶査定不服審判事件〔平成　８年　９月２７日出願公開、特開平　８−２４９８２０〕について、次のとおり審決する。
【結　論】
　本件審判の請求は、成り立たない。
【理　由】
１．手続の経緯・本願発明
　本願は、平成７年３月９日の出願であって、その請求項１、２に係る発明は、平成１２年１１月１３日付けの手続補正書で補正された明細書の特許請求の範囲の請求項１、２に記載されたとおりのものであって、その請求項１に係る発明（以下、「本願発明」という。）は、次のとおりのものである。
　
　
「【請求項１】ディスクからデータを間欠的に読み取ってメモリに書き込むと共に、該メモリよりデータを連続的に読み取ってＤＡ変換して再生するディスクプレーヤの再生方法において、読み取りヘッドのジャンプによりディスクから読み取ったデータが不連続になった時、該ヘッドをジャンプ発生前の最終アドレス位置に復帰させ、その間前記メモリよりデータを読み出して再生を行い、前記最終アドレス位置に復帰後、メモリへのデータの間欠書き込みと連続読み出しを並行して行い、前記最終アドレスへの復帰動作中にメモリエンプティになった場合には、読み取りヘッドをジャンプ発生前の最終アドレスに所定量加算したアドレス位置へ移動させ、該位置よりデータを間欠的に読み出してメモリに書き込むと共に、メモリよりデータを連続的に読み出すことを特徴とするディスクプレーヤの再生方法。」
　
　
　
２．引用例に記載された発明
１）第１引用例
　これに対して、原査定の拒絶の理由で引用された特開平６−１６２６８８号公報（以下、「第１引用例」という。）には、図面とともに次の技術事項が記載されている。
　
（ａ）
「【０００３】
【従来の技術】
　従来、光磁気デイスク装置においては、再生したオーデイオデータを大容量のメモリ回路を介して出力することにより、音飛び等を有効に回避し得るようになされたものが提案されている。
　
　　　・・・中略・・・　　　　　
　
【０００７】
　これにより光磁気デイスク装置においては、セクタ単位で正しく再生されたオーデイオデータを順次メモリ回路に蓄積し、このメモリ回路をリングバツフアとして使用してオーデイオデータを出力するようになされている。　すなわち光磁気デイスク装置においては、このようにして再生したオーデイオデータをメモリ回路に蓄積すると共に、この蓄積したオーデイオデータを所定の伝送速度で順次外部に送出する。
【０００８】
　このときこの種の光磁気デイスク装置においては、外部に送出するオーデイオデータの伝送速度に比して高い伝送速度でオーデイオデータを再生し、この再生したオーデイオデータをメモリ回路に蓄積する。
【０００９】
　これにより図１０に示すように光磁気デイスク装置においては、このメモリ回路をリングバツフアとして使用し、オーデイオデータの格納動作（記号Ｗで表す）を追い駆けるようにオーデイオデータを読み出し処理し（記号Ｒで表す）、振動等により光ピツクアツプがトラツクジヤンプした場合でも、オーデイオ信号を音飛びなく再生し得るようになされている。」
　
（ｂ）
「【００１０】
【発明が解決しようとする課題】ところでこの種の光磁気デイスク装置において、リードリトライを頻繁に繰り返すと、オーデイオデータの読み出し動作Ｒがオーデイオデータの格納動作Ｗに追いつくようになり、結局オーデイオデータを外部に送出し得なくなる。特に振動等により光ピツクアツプがトラツクジヤンプした場合等においては、元のトラツクに復帰させるまでに時間を要し、その分メモリ回路に蓄積したオーデイオデータの残量が少なくなる。
【００１１】
　このように格納動作Ｗに読み出し動作Ｒが追いつくと、外部に送出するオーデイオ信号においては、途中で音切れした状態になり、振動等により音飛びした場合と同様に極めて聞き苦しくなる問題がある。」
　
（ｃ）
「【００３０】
　メモリ回路１４は、再生時、エンコーダ／デコーダ１５の出力データについて、正しく再生し得たオーデイオデータを選択的に蓄積して出力し、これにより光デイスク装置１においては、記録時と同様にトラツクジヤンプ等のエラーが発生した場合でも、オーデイオ信号ＡOUT の出力を中断することなく、再生動作を再開し得るようになされている。
【００３１】
　時間圧縮伸長回路１２は、再生時、メモリ回路１４から出力されるオーデイオデータを信号伸長処理し、これにより記録時に信号圧縮処理したデイジタルオーデイオ信号を再現する。
【００３２】
　デイジタルアナログ変換回路（Ｄ／Ａ）２０は、時間圧縮伸長回路１２から出力されるデイジタルオーデイオ信号をアナログ信号に変換することにより、オーデイオ信号ＡOUT を生成し、このオーデイオ信号ＡOUT を出力端子２８から出力する。」　
　
（ｄ）
「【００４１】
　すなわちシステム制御回路７においては、ステツプＳＰ１からステツプＳＰ２に移り、ここで対象となるセクタについて目標となるアドレスデータを取り込んだ後、続いてステツプＳＰ３に移る。ここでシステム制御回路７においては、割り込み信号ＩＮＴを基準にして識別データＣ２ＰＯが立ち上がつた否か判断することにより、対象となるセクタについてオーデイオデータに誤りがあるか否か判断し、ここでオーデイオデータを正しく再生し得た場合、否定結果が得られることにより、ステツプＳＰ４に移る。
【００４２】
　ここでシステム制御回路７においては、光磁気デイスク２の最終記録位置か否か判断し、最終記録位置の場合、ステツプＳＰ４において肯定結果が得られることにより、ステツプＳＰ５に移つて処理手順を完了する。これに対してまだ再生するクラスタが残つている場合、ステツプＳＰ６に移つてアドレスデータをＨレベルだけ加算することにより、対象とするセクタと続くセクタに切り換えた後、ステツプＳＰ７に移る。
【００４３】
　ここでシステム制御回路７においては、リトライフラグをリセツトし、続いてステツプＳＰ２に戻る。これによりシステム制御回路７においては、オーデイオデータが正しく再生されている場合、セクタ単位でステツプＳＰ２−ＳＰ３−ＳＰ４−ＳＰ６−ＳＰ７−ＳＰ２の処理ループＬＯＯＰ１を繰り返し、これにより順次連続するセクタについてオーデイオデータを再生し得るようになされている。
【００４４】
　これに対して割り込み信号ＩＮＴが立ち下がると（すなわち識別データＣ２ＰＯが立ち上がると）、この場合再生したオーデイオデータが誤つていると判断し得ることにより、システム制御回路７においては、ステツプＳＰ３において肯定結果が得られ、ステツプＳＰ８に移る。ここでシステム制御回路７においては、リトライフラグがセツトされているか否か判断し、それまで誤りなくオーデイオデータを再生していた場合は否定結果が得られることにより、ステツプＳＰ９に移り、ここでリトライフラグをセツトした後、続くステツプＳＰ１０でメモリ回路１４に格納されたオーデイオデータのデータ量を検出する。
【００４５】
　このデータ量は、メモリコントローラ１３で生成される書き込み用のアドレスデータと読み出し用のアドレスデータとの間で減算結果を得ることにより検出することができ、データ量を検出すると、システム制御回路７は、続いてステツプＳＰ１１に移り、検出したデータ量がメモリ回路１４の容量の１／２以上か否か判断する。
【００４６】
　ここで肯定結果が得られる場合、メモリ回路１４においては、音声圧縮伸長回路１２に出力するオーデイオデータが充分に蓄積されていることにより、リードリトライを繰り返しても音切れが発生しないと判断することができ、これによりシステム制御回路７においては、ステツプＳＰ１２に移つてリトライカウンタを値３にセツトした後、ステツプＳＰ２に戻る。これにより光磁気デイスク装置１においては、目標アドレスが元の値のまま保持されていることにより、識別データＣ２ＰＯが立ち上がつたセクタについてリードリトライを実行するようになされている。
【００４７】
　このリードリトライの際、オーデイオデータを正しく再生し得た場合、システム制御回路７においてはステツプＳＰ２−ＳＰ３の処理手順を実行することにより、ステツプＳＰ３において否定結果が得られ、これによりステツプＳＰ４、ステツプＳＰ６、ステツプＳＰ７の処理手順を実行する。これにより光磁気デイスク装置１においては、この正しく再生されたオーデイオデータでメモリ回路１４のオーデイオデータを更新すると共に、続くセクタについてオーデイオデータを再生するようになされている。」
　
（ｅ）
「【００５１】
　これに対してリードリトライを３回繰り返しても正しいオーデイオデータを再生し得ない場合、システム制御回路７においては、ステツプＳＰ１４において肯定結果が得られることにより、ステツプＳＰ１５に移る。ここでシステム制御回路７においては、リトライフラグをリセツトした後、ステツプＳＰ１６に移り、目標アドレスを続くセクタのアドレスに設定してステツプＳＰ２に戻る。
【００５２】
　これにより光磁気デイスク装置１においては、メモリ回路１４にオーデイオデータが充分蓄積されている場合、リードリトライを３回の範囲で繰り返し、３回繰り返してもオーデイオデータを正しく再生し得ない場合、メモリ回路１４に格納したオーデイオデータをそのまま放置し、続くセクタについてオーデイオデータを再生する。
【００５３】
　これにより光磁気デイスク装置１においては、何度リードリトライを繰り返してもオーデイオデータを正しく再生し得ない傷等の場合にあつては、正しく再生し得なかつたオーデイオデータをそのまま音声圧縮伸長回路１２に出力するようになされ、これにより無駄なリードリトライ処理を低減するようになされている。」
　
　
　上記記載事項及び図面の記載を総合勘案すると、結局、上記第１引用例には、次の発明が記載されている。
　
「光磁気デイスク２からオーデイオデータを外部に送出するオーデイオデータの伝送速度に比して高い伝送速度で再生してメモリ回路１４に蓄積すると共に、該メモリ回路１４から出力されるオーデイオデータを時間圧縮伸長回路１２で信号伸長し、時間圧縮伸長回路１２から出力されるデイジタルオーデイオ信号をデイジタルアナログ変換回路２０でアナログ信号に変換して出力する光磁気デイスク装置１の再生方法において、
　光ピックアップ３のトラックジャンプにより光磁気デイスク２から再生したオーデイオデータが誤っていると判断した時、該光ピックアップ３を目標アドレスが元の値のまま保持することで誤りがあったセクタについてリードリトライを実行させ、また、リードリトライの間はオーデイオデータの出力ＡＯＵＴは中断することなく出力し、リードリトライによってオーデイオデータが正しく再生された時にはメモリ回路１４へのオーデイオデータを更新し、
　光ピックアップ３のトラックジャンプ時にメモり回路１４に蓄積されているオーデイオデータのデータ量に応じたリードリトライ回数の設定を行い、
　設定したリードリトライ回数のリードリトライ終了後、光ピックアップ３を誤りがあったセクタに続くセクタのアドレス位置へ移動させ、該位置よりオーデイオデータを読み出してメモリ回路１４に蓄積すると共に、メモリ回路１４よりオーデイオデータを出力する光磁気デイスク装置の再生方法。」
　
　
３．対　比
　
　本願発明と上記第１引用例に記載された発明とを対比する。
　
　第１引用例に記載された発明における「光磁気デイスク２」、「オーデイオデータ」、「メモリ回路１４」、「デイジタルアナログ回路２０でアナログ信号に変換」、「光磁気デイスク装置１」、「光ピックアップ３」、「トラックジャンプ」、「オーデイオデータが誤つていると判断した時」、「誤りがあったセクタ」は、それぞれ本願発明における「デイスク」、「データ」、「メモリ」、「ＤＡ変換」、「デイスクプレーヤ」、「読み取りヘッド」、「ジャンプ」、「データが不連続になった時」、「ジャンプ発生前の最終アドレス位置」に相当する。
　また、第１引用例に記載された発明においても、オーデイオデータのメモリ回路への書き込み速度は、メモリ回路からオーデイオデータを読み出す速度よりも速いものであるから、メモリ回路は任意の時点で一杯となりメモリ回路へのオーデイオデータの書き込みは間欠的となるものと認められる。
　 さらに、第１引用例における「リードリトライ」とは、誤りがあったセクタまで光ピックアック３を移動させ、再度光磁気デイスクからオーデイオデータを再生する動作であり、また、「リードリトライの間はオーデイオデータの出力ＡＯＵＴは中断することなく出力」していることから、光ピックアップ３の誤りがあったセクタまでの移動中、及び移動後もメモリ回路１４よりオーデイオデータは読み出され続けており、更に、「リードリトライによって正しいデータが再生された時にはメモリ回路１４のデータの更新」をしていることから、誤りセクタに光ピックアップ３が移動後にメモリ回路１４への書き込み動作が再開されるものである。
　そして、第１引用例に記載された発明においても、ヘッドジャンプが繰り返される一定の条件の下では、光ピックアップ３を続くセクタのアドレス位置へ移動させていることから、本願発明と「読み取りヘッドをジャンプ発生前の最終アドレス位置より先のアドレス位置へ移動させ」る点では一致している。
　そうすると、本願発明と第１引用例に記載された発明とは、次の点で一致する。
　
　一致点
「ディスクからデータを間欠的に読み取ってメモリに書き込むと共に、該メモリよりデータを連続的に読み取ってＤＡ変換して再生するディスクプレーヤの再生方法において、
　読み取りヘッドのジャンプによりディスクから読み取ったデータが不連続になった時、該ヘッドをジャンプ発生前の最終アドレス位置に復帰させ、その間前記メモリよりデータを読み出して再生を行い、前記最終アドレス位置に復帰後、メモリへのデータの間欠書き込みと連続読み出しを並行して行い、
　読み取りヘッドをジャンプ発生前の最終アドレス位置より先のアドレス位置へ移動させ、該位置よりデータを間欠的に読み出してメモリに書き込むと共に、メモリよりデータを連続的に読み出すことを特徴とするディスクプレーヤの再生方法。」
　
一方、次の各点で相違する。
　
（相違点１）
　読み取りヘッドをジャンプ発生前の最終アドレス位置より先のアドレス位置へ移動させるための条件を、本願発明では「メモリエンプティになった場合」としているのに対して、第１引用例に記載された発明ではメモリのデータ量に応じて設定されたリトライ回数のリトライ終了時としている点。
　
（相違点２）
　読み取りヘッドの移動先のアドレスの設定を、本願発明では「ジャンプ発生前の最終アドレスに所定量加算」することで行っているのに対して、第１引用例に記載された発明では具体的にどのように設定するか特に示されていない点。
　
　
４．当審の判断
　そこで、上記各相違点について検討する。
１）相違点１について
　読み取りヘッドを先の位置に移動させるための条件として、メモリエンプティになった場合とすることは周知の技術である（必要であれば、特開平５−１４４１５９号公報（特に、段落【００４５】を参照））。したがって、第１引用例に記載された発明においても、読み取りヘッドを先の位置に移動させるための条件として、上記周知の技術を採用し、メモリエンプティになった場合とすることは当業者が容易に想到できたものである。
　
２）相違点２について　
　第１引用例に記載された発明は、ジャンプが発生しない通常の再生時の続くセクタのアドレスの指定は、正常に読みとられたセクタのアドレスに対して所定量加算することで行うものである（特に、段落【００４２】及び図５のＳＰ６を参照）から、ジャンプが発生した時のアドレスの指定についても同様に、誤りがあったセクタのアドレス（ジャンプ発生前の最終アドレス）に所定量加算して行うことは当業者が適宜なし得た事項である。
　
　
５．むすび
　以上のとおりであって、本願発明は、上記第１引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。